(57)【特許請求の範囲】
【請求項１】
第１のネットワークを介して提供されるライセンスバンドの利用中に、セルサーチを行って第２のネットワークを介して提供される所定の周波数帯域であるライセンス不要バンドを検出するとき、前記第１のネットワークから前記第２のネットワークに切り替える切替制御部と、
自装置宛のアクセス方式非依存のプロトコルによる着信転送を、前記第１のネットワークに接続され、当該第１のネットワークの接続装置に接続された他の機器との音声データの発着信を制御する制御装置に対して要求する着信転送制御部と、を備え、
前記制御装置から自装置宛の音声データを前記プロトコルにより前記第２のネットワークを用いて受信する端末装置。
【請求項２】
前記切替制御部が、ネットワークの検出状況に応じて前記第２のネットワークから前記第１のネットワークに切り替えるとき、
前記着信転送制御部は、前記着信転送の解除を前記制御装置に対して要求し、
前記制御装置が着信転送を解除したとき、自装置宛の音声データを前記制御装置から前記第１のネットワークを用いて着信する
請求項１に記載の端末装置。
【請求項３】
前記プロトコルによる前記音声データの受信を有効又は無効に設定する設定部を備え、
前記設定部は、
前記制御装置が着信転送を解除したとき、前記プロトコルによる前記音声データの受信を無効に設定する
請求項２に記載の端末装置。
【請求項４】
前記着信転送の条件を示す転送条件情報を記憶する記憶部を備え、
前記着信転送制御部は、前記転送条件情報に基づいて前記着信転送を前記制御装置に対して要求する請求項１から３のいずれかに記載の端末装置。
【請求項５】
前記切替制御部は、前記第２のネットワークから前記第１のネットワークに切り替えるとき、ライセンスバンドのネットワークが検出されるまでネットワークの検出を継続する請求項１から４のいずれかに記載の端末装置。
【発明の詳細な説明】
【技術分野】
【０００１】
本発明は、端末装置、特に携帯電話網で用いられる無線通信システムに関する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）では、ライセンス不要バンド（ｕｎｌｉｃｅｎｓｅｄ  ｂａｎｄ）でＬＴＥ（Ｌｏｎｇ  Ｔｅｒｍ  Ｅｖｏｌｕｔｉｏｎ）またはＬＴＥ−Ａｄｖａｎｃｅｄ（ＬＴＥ−Ａ）を使用した通信サービス（以下、本通信サービスと呼ぶ）の導入が検討されている。ライセンス不要バンドは、当局による許認可を要することなく利用できる周波数帯域である。ライセンス不要バンドは、免許不要の周波数帯域とも呼ばれる。これに対し、当局による許認可により利用できる周波数帯域は、ライセンスバンド（ｌｉｃｅｎｓｅｄ  ｂａｎｄ）、又は、免許を要する周波数帯域と呼ばれる。また、ＬＴＥ、ＬＴＥ−Ａは、いずれも代表的な無線通信規格である。本通信サービスに関しては、３ＧＰＰのリリース（Ｒｅｌｅａｓｅ）１３以降で議論されることになっている。
【０００３】
本通信サービスは、ライセンスバンドを所有しない通信事業者であっても、世界各国共通のライセンス不要バンド（例えば、５ＧＨｚ帯、等）を使用することによって可能となる。また、本通信サービスは、ライセンス不要バンドを利用するため、経済的に提供されることが期待される。
他方、端末装置は、ライセンスバンドとライセンス不要バンドとを同時に接続することができない。ライセンスバンドに接続された端末装置がライセンス不要バンドを用いて通信する場合には、端末装置はライセンスバンドとの接続を停止した後、ライセンス不要バンドに移行する。
【先行技術文献】
【非特許文献】
【０００４】
【非特許文献１】３ＧＰＰ  ＴＳ  ２３．１２２，３ｒｄ  Ｇｅｎｅｒａｔｉｏｎ  Ｐａｒｔｎｅｒｓｈｉｐ  Ｐｒｏｊｅｃｔ，２０１４年６月，Ｖ１２．５．０）
【発明の概要】
【発明が解決しようとする課題】
【０００５】
しかしながら、端末装置の登録や、端末装置個別の電話番号の付与を行うライセンスバンドの事業者のネットワークと、ライセンス不要バンドの事業者のネットワークとの間では、送受信されるデータの疎通がない。そのため、端末装置がライセンス不要バンドに接続している場合、ライセンスバンドで着信した受信データを受けられなくなる。また、端末装置が定期的にライセンス不要バンドからライセンスバンドに移行して上記の着信を受けることも考えられるが、ライセンス不要バンドでのスループットの低下が起きてしまう。
【０００６】
例えば、ライセンスバンドを使用し、通話、データ通信等の通信サービスを提供するキャリアをＡ社とし、ライセンス不要バンドを使用してＡ社よりも低価格で通話、データ通信等の通信サービスを提供するキャリアをＧ社とする。また、ユーザは、より使用エリアが広いＡ社と契約を行い、Ａ社に係る事業者情報が記憶されたＳＩＭ（Ｓｕｂｓｃｒｉｂｅｒ  Ｉｄｅｎｔｉｔｙ  Ｍｏｄｕｌｅ）カードを備えた端末装置を所持しているものとする。ライセンス不要バンドによる接続可能エリアでＧ社との接続が可能になった場合、端末装置は、Ｇ社のネットワークに遷移する。Ｇ社のネットワークで通信が行われている場合には、端末装置は、ライセンスバンドに接続していないのであるから、このＳＩＭカードに記憶されたＡ社の事業者情報が示す識別番号で着信を受けることができない。端末装置が、定期的にＧ社のネットワークからＡ社のネットワークに遷移し、ライセンスバンドでの着信情報を参照すれば着信を受けることができる。しかし、端末装置がＧ社のネットワークに接続している時間が短縮され、また、切替処理に時間を要するため、ライセンス不要バンドでの通信のスループットが低下する。
【０００７】
本発明は上記の点に鑑みてなされたものであり、ライセンス不要バンドのネットワーク利用中に自装置宛の通話、データ等の着信を効率よく受けることができる端末装置を提供する。
【課題を解決するための手段】
【０００８】
本発明は上記の課題を解決するためになされたものであり、本発明の一態様は、第１のネットワークを介して提供されるライセンスバンドの利用中に、セルサーチを行って第２のネットワークを介して提供される所定の周波数帯域であるライセンス不要バンドを検出するとき、前記第１のネットワークから前記第２のネットワークに切り替える切替制御部と、自装置宛のアクセス方式非依存のプロトコルによる着信転送を、前記第１のネットワークに接続され、当該第１のネットワークの接続装置に接続された他の機器との音声データの発着信を制御する制御装置に対して要求する着信転送制御部と、を備え、前記制御装置から自装置宛の音声データを前記プロトコルにより前記第２のネットワークを用いて受信する端末装置である。
【発明の効果】
【０００９】
本発明によれば、ライセンス不要バンドのネットワークの利用中に自装置宛の通話、データ等の着信を効率よく受けることができる。
【図面の簡単な説明】
【００１０】
【図１】本発明の第１の実施形態における通信システムの一例を示す概念図である。
【図２】本発明の第１の実施形態に係る端末装置の構成を示す概略ブロック図である。
【図３】本発明の第１の実施形態に係る着信転送設定処理を示すフローチャートである。
【図４】本発明の第１の実施形態に係る着信転送設定解除処理を示すフローチャートである。
【図５】本発明の第２の実施形態に係る着信転送設定処理を示すフローチャートである。
【図６】転送状態記憶テーブルの例を示す図である。
【図７】本発明の第３の実施形態に係る着信転送設定処理を示すフローチャートである。
【図８】本発明の第４の実施形態に係る着信転送設定解除処理のフローチャートである。
【発明を実施するための形態】
【００１１】
（第１の実施形態）
以下、図面を参照しながら本発明の第１の実施形態について説明する。
図１は、本実施形態における通信システム１の一例を示す概念図である。
通信システム１は、基地局装置Ｕａ、Ｌａ、各基地局装置のそれぞれに接続されたネットワーク及び端末装置Ｔｍを含んで構成される。各基地局装置を囲む楕円は、各基地局装置からの電波が届く範囲であるセルを示す。セルＸ−Ｕａ、Ｙ−Ｌａは、それぞれ基地局装置Ｕａ、Ｌａのセルである。セルＸ−Ｕａ、Ｙ−Ｌａは、それぞれ基地局装置Ｕａ、Ｌａを意味することがある。
基地局装置Ｕａ、Ｌａを起点とする破線の矢印は、各基地局装置が所定の時間間隔（例えば、５０ｍｓ）で報知信号を電波で送信することを示す。報知信号は、ネットワークのシステム情報（Ｓｙｓｔｅｍ  Ｉｎｆｏｒｍａｔｉｏｎ）を示す信号である。システム情報は、個々のネットワーク事業者（オペレータ）を示す事業者情報を含む。実線の両矢印は、基地局装置Ｕａと端末装置Ｔｍの間で双方向に通信中であることを示す。
【００１２】
基地局装置Ｕａは、事業者Ｘの基地局装置であり、事業者Ｘのコアネットワークに接続されている。事業者Ｘは、ライセンスバンドを有しておらず、基地局装置Ｕａによりライセンス不要バンドを用いて端末装置Ｔｍに通信サービスを提供する。基地局装置Ｕａは、ライセンス不要バンドを用いて、事業者Ｘがライセンス不要バンドを有する事業者であることを示す報知信号を送信する。
【００１３】
基地局装置Ｌａは、事業者Ｙの基地局装置であり、事業者Ｙのコアネットワークに接続されている。事業者Ｙは、ライセンスバンドを有しており、基地局装置Ｌａによりライセンスバンドを用いて、通信サービスを提供する。基地局装置Ｌａは、ライセンスバンドを用いて、事業者Ｙがライセンスバンドを有する事業者であることを示す報知信号を送信する。
【００１４】
端末装置Ｔｍのユーザは、ライセンスバンドを有する事業者Ｙとの間で、事業者Ｙが提供する通信サービスを受ける契約が結ばれている。端末装置Ｔｍには、事業者Ｙの事業者情報を記憶したＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カード又はＳＩＭカードが装着されている。従来の構成であれば、端末装置Ｔｍは、ライセンスバンド上で検出される事業者Ｙのネットワーク（ＨＰＬＭＮ：Ｈｏｍｅ  Ｐｕｂｌｉｃ  Ｌａｎｄ  Ｍｏｂｉｌｅ  Ｎｅｔｗｏｒｋ）を用いて通信を行う。
【００１５】
図１に示す例では、端末装置Ｔｍは、セルＸ−Ｕａ及びＹ−Ｌａが重複する領域に位置している。この位置では、端末装置Ｔｍは、基地局装置Ｌａが送信する報知信号に基づきライセンスバンド上で事業者Ｙのネットワークを検出し、基地局装置Ｕａが送信する報知信号に基づきライセンス不要バンド上で事業者Ｘのネットワークを検出することが可能である。事業者Ｘは、ライセンス不要バンドを用いて経済的なサービスを提供する。図１では、実線の双方向矢印が示すように、端末装置Ｔｍのユーザが事業者Ｘのネットワークを選択し、ライセンス不要バンド上で通信を行っている例を示す。ライセンス不要バンドを用いて事業者Ｘの通信サービスを利用しているときには、端末装置Ｔｍは、事業者Ｙのネットワークに接続していない。そのため、従来の構成であれば、事業者Ｙのネットワークに端末装置Ｔｍ宛の着信があっても、端末装置Ｔｍはこの着信を受けることができない。
【００１６】
本実施形態では、事業者Ｘの基地局装置Ｕａ、事業者Ｙの基地局装置Ｌａのそれぞれに接続されたコアネットワークは、ＩＰマルチメディアサブシステム（ＩＭＳ：ＩＰ  Ｍｕｌｔｉｍｅｄｉａ  Ｓｕｂ−ｓｙｓｔｅｍ）に接続されている。ＩＰ（Ｉｎｔｅｒｎｅｔ  Ｐｒｏｔｏｃｏｌ）は、アクセス方式に依存しない代表的な通信プロトコルである。従って、ＩＭＳは、アクセス方式によらず、各端末装置との間の伝達経路の設定（ＩＭＳ登録制御）、音声の発着信制御、等の機能を提供するＩＭＳ制御装置を含んで構成される。ＩＭＳ制御装置は、例えば、マルチメディアテレフォニーアプリケーションサーバ（ＭＭＴｅｌＡＳ：Ｍｕｌｔｉ−ｍｅｄｉａ  Ｔｅｌｅｐｈｏｎｙ  Ａｐｐｌｉｃａｔｉｏｎ  Ｓｅｒｖｅｒ）である。ＭＭＴｅｌＡＳは、音声データを含むマルチメディアデータを所定のプロトコル（例えば、ＩＰ）で送信及び受信するアプリケーションサーバである。ＭＭＴｅｌＡＳは、ＶｏＩＰによる端末装置間における通話サービスに用いられる。
これに対し、コアネットワークは、各端末装置の認証、移動制御、等の機能を提供する。コアネットワークは、例えば、ＬＴＥ／ＥＰＣ（Ｅｖｏｌｖｅｄ  Ｐａｃｋｅｔ  Ｃｏｒｅ）である。
【００１７】
そこで、端末装置Ｔｍは、事業者Ｘのネットワークの利用開始前に、事業者Ｙのコアネットワークに接続されたＭＭＴｅｌＡＳに対して、自装置宛の着信転送設定を要求する。また、端末装置Ｔｍは、自装置に対して転送された呼を受け付け可能に設定する。また、ＭＭＴｅｌＡＳは、端末装置Ｔｍからの要求を受け付けた後、端末装置Ｔｍ宛の着信を、所定のプロトコル（例えば、ＩＰ）で端末装置Ｔｍに転送する。これにより、端末装置Ｔｍは、事業者Ｘのネットワークを利用している場合でも、自装置宛の着信を受けることができる。
【００１８】
図１に示す例では、説明のため基地局装置の数が２、端末装置の数が１であるが、これには限られない。基地局装置の数は３又は３より多い数、端末装置の数は１より多い数であってもよい。また、基地局装置を収容する事業者のネットワークで用いられる、ライセンスバンドの数、ライセンス不要バンドの数は、それぞれ１よりも多くてもよい。
【００１９】
（端末装置の構成）
次に、本実施形態に係る端末装置２０の構成について説明する。
図２は、本実施形態に係る端末装置２０の構成を示す概略ブロック図である。
端末装置２０は、基地局装置を介して相手先の機器との間で通信を行うことができる電子機器、例えば、携帯電話機（スマートフォンを含む）、タブレット端末装置、通信カード、等である。端末装置２０は、端末装置Ｔｍ（図１）のようにライセンスバンドまたはライセンス不要バンドを用いて、それぞれの基地局装置（例えば、基地局装置Ｕａ、Ｌａ（図１））を介してデータを送信及び受信することができる。
【００２０】
端末装置２０は、通信部２１、制御部２２、及び記憶部２３を含んで構成される。また、端末装置２０は、ＵＳＩＭカードを着脱可能に固定するためのアダプタ（図示せず）を備えてもよい。
通信部２１は、基地局装置を介して通信を、所定の方式（例えば、ＬＴＥ、ＬＴＥ−Ａ）を用いて行う。
通信部２１は、Ｍ（Ｍは、１またはそれより大きい整数、例えば、２）個の第１送信部２１１−１〜第Ｍ送信部２１１−Ｍと、Ｍ個の第１受信部２１２−１〜第Ｍ受信部２１２−Ｍを含んで構成される。なお、以降の説明において、第１送信部２１１−１〜第Ｍ送信部２１１−Ｍを特に区別しない場合には、送信部２１１と呼び、第１受信部２１２−１〜第Ｍ受信部２１２−Ｍを特に区別しない場合には受信部２１２と呼ぶ。
【００２１】
第１送信部２１１−１〜第Ｍ送信部２１１−Ｍは、それぞれ異なる周波数帯域を使用して、各種のデータをアンテナから電波で送信する。第１受信部２１２−１〜第Ｍ受信部２１２−Ｍは、それぞれ異なる周波数帯域を使用して、アンテナを介してそれぞれ異なる周波数帯域の電波で各種のデータを受信する。
第１送信部２１１−１〜第Ｍ送信部２１１−Ｍ、第１受信部２１２−１〜第Ｍ受信部２１２−Ｍが使用する周波数帯域には、少なくとも１つのライセンス不要バンドＵ１、Ｕ２、…と、少なくとも１つのライセンスバンドＬ１、Ｌ２、…と、が含まれる。ライセンス不要バンドＵ１、Ｕ２、…は、所定の通信規格で規定されているライセンス不要の周波数帯域であってもよい。例えば、ライセンス不要バンドＵ１は、５．０ＧＨｚ帯である。ライセンスバンドＬ１、Ｌ２、…は、所定の通信規格で規定されているライセンスを要する周波数帯域であってもよい。例えば、ライセンスバンドＬ１、Ｌ２は、ＬＴＥで規定されたＢａｎｄ１（２．０ＭＨｚ帯）、Ｂａｎｄ２（８００ＭＨｚ帯）である。
なお、第１送信部２１１−１〜第Ｍ送信部２１１−Ｍと第１受信部２１２−１〜第Ｍ受信部２１２−Ｍにおいて共通化可能な部位については共通化してよい。また、送信部２１１及び受信部２１２が利用可能な周波数帯域内で共通化可能な部位についても共通化してもよい。
【００２２】
制御部２２は、切替制御部２２１及び着信制御部２２２として機能し、通信に関わる各種の処理を実行する。着信制御部２２２は、着信転送制御部２２３と、端末ＶｏＩＰ設定部２２４とを含んで構成される。制御部２２は、例えばＣＰＵ（Ｃｅｎｔｒａｌ  Ｐｒｏｃｅｓｓｉｎｇ  Ｕｎｉｔ）などの処理装置や、ＲＡＭ（Ｒａｎｄｏｍ  Ａｃｃｅｓｓ  Ｍｅｍｏｒｙ）などの主記憶装置を含んで構成される。
【００２３】
切替制御部２２１は、セルサーチを行うことにより自装置が在圏しているネットワークを検出する。セルサーチにおいて、切替制御部２２１は、受信部２１２が受信した受信信号の周波数帯域毎の強度を計測し、計測した強度が予め設定した強度よりも高い周波数帯域の成分の信号を検出する。これにより、自装置が在圏している可能性があるネットワークの周波数帯域（バンド）が検出される。また、切替制御部２２１は、受信信号に含まれる報知信号から抽出した事業者情報が示す事業者番号に基づいて個々の事業者のネットワークを検出してもよい。
【００２４】
切替制御部２２１は、ネットワークの検出状況に応じてライセンスバンドを用いたネットワークからライセンス不要バンドを用いたネットワークへの切替、またはライセンス不要バンドを用いたネットワークからライセンスバンドを用いたネットワークへの切替を制御する。切替制御部２２１は、所定の周波数帯域（例えば、５ＧＨｚ帯）内で受信信号を検出した帯域をライセンス不要バンドと判定する。ライセンスバンドを検出する際には、切替制御部２２１は、端末装置２０のユーザがさらに、その事業者との通信サービスに係る有効な契約があるか否かを考慮する。切替制御部２２１は、受信信号から抽出した事業者情報とＳＩＭカードに記憶された事業者情報とを照合することにより、ライセンスバンドを検出する。
【００２５】
切替制御部２２１は、自装置がライセンスバンドを用いたネットワークに在圏している場合、ライセンス不要バンドへの切替を行うか否かを判定する。切替制御部２２１は、自装置がライセンスバンドを用いたネットワークに在圏している場合であって、自装置がライセンス不要バンドを用いたネットワークに在圏していないとき、ライセンス不要バンドへの切替を行わないと判定する。
【００２６】
なお、ライセンス不要バンドへの切替を行う契機（トリガ）は、例えば、次の場合である。
（ａ）ライセンスバンドの利用中に所定の時間間隔で行われるセルサーチ（定期サーチ）において、ライセンス不要バンドが発見された場合。
（ｂ）通信の開始に伴って行われるセルサーチにおいて、ライセンス不要バンドが発見された場合。データの通信の開始は、ユーザによる端末装置Ｔｍへの操作入力により指示されたものでもよいし、制御部２２にインストールされたアプリケーションソフトウェアの動作により指示されたものでもよい。
（ｃ）送受信されるデータの通信量が、所定の通信量の閾値よりも増加した場合に行われるセルサーチにおいて、ライセンス不要バンドが発見された場合。
【００２７】
また、ライセンス不要バンドの利用中にライセンスバンドへの復帰が必要な場合、つまりライセンスバンドへの切替を行う契機は、例えば、次の場合である。
（ｄ）ライセンス不要バンドを用いた通信中に、切替制御部２２１が、そのライセンス不要バンドが検出できなくなり、かつ、ライセンスバンドが検出されている場合。このような場合は、例えば、端末装置２０が、通信中に、ライセンス不要バンドのネットワークが利用可能なエリアの圏外（以下、単に圏外と呼ぶ）に移動し、ライセンスバンドが継続して検出されている場合である。
（ｅ）ライセンスバンドが検出されているとき、ユーザによる端末装置Ｔｍの操作入力によりライセンスバンドへの切替が指示された場合。
【００２８】
着信転送制御部２２３は、ＶｏＩＰによる自装置宛の着信転送が行われるようにするか（ＶｏＩＰ制御）、ＶｏＩＰによる着信転送を解除して在圏中のネットワークのみの着信を受け付けるか（直接制御）を制御する。
ライセンスバンドのネットワークに在圏中であって、ライセンス不要バンドへの遷移が可能であると切替制御部２２１が判定した場合、着信転送制御部２２３は、在圏中のライセンスバンドのネットワークを用いて、ＶｏＩＰによる自装置宛の着信転送設定を行う。着信転送設定において、着信転送制御部２２３は、在圏中のライセンスバンドのネットワークを介してＭＭＴｅｌＡＳ（図示せず）に着信転送設定要求情報を送信する。着信転送設定要求情報は、ＶｏＩＰによる自装置宛の転送及び無条件着信転送（ＣＦＵ：Ｃａｌｌ  Ｆｏｒｗａｒｄｉｎｇ  Ｕｎｃｏｎｄｉｔｉｏｎａｌ）の設定を指示する情報であり、端末装置２０の識別情報としてＶｏＩＰ番号を含む。無条件転送とは、転送先の機器に対して着信通知を行わずに（呼び出し時間０秒）、着信したデータを無条件に転送することを意味する。
【００２９】
なお、ＭＭＴｅｌＡＳ（図示せず）は、端末装置２０から受信した着信転送設定要求情報に含まれるＶｏＩＰ番号で指示される機器宛の着信転送設定を行い、着信転送設定が完了したことを示す着信転送設定完了情報を端末装置２０に送信する。着信転送設定がなされている場合、ＭＭＴｅｌＡＳは、端末装置２０宛の音声データを受信したとき、受信した音声データをＩＰを用いて端末装置２０に転送する。
【００３０】
他方、ライセンスバンドへの復帰が必要な場合には、着信転送制御部２２３は、ＶｏＩＰによる着信転送を解除する。その場合、着信転送制御部２２３は、在圏中のライセンスバンドのネットワークを用いて、ＶｏＩＰによる自装置宛の着信転送解除設定を行う。着信転送解除設定において、着信転送制御部２２３は、在圏中のライセンスバンドのネットワークを介してＭＭＴｅｌＡＳ（図示せず）に着信転送設定解除要求情報を送信する。着信転送設定解除要求情報は、ＶｏＩＰによる自装置宛の転送及び無条件転送の設定の解除を指示する情報である。
【００３１】
なお、ＭＭＴｅｌＡＳは、端末装置２０から受信した着信転送設定解除要求情報に基づいて、ＶｏＩＰによる端末装置２０宛の着信転送解除設定を行い、着信転送解除設定が完了したことを示す着信転送解除設定情報を端末装置２０に送信する。着信転送解除設定がなされた場合、ＭＭＴｅｌＡＳは、ＩＰを用いた端末装置２０宛の音声データの転送を停止し、在圏中のライセンスバンドのネットワークのみを介した端末装置２０宛の音声データの着信通知を再開する。
【００３２】
端末ＶｏＩＰ設定部２２４は、着信転送設定の完了後、自装置のＶｏＩＰ機能が無効な状態から有効な状態に設定する（ＶｏＩＰＥ設定ＯＮ）。端末ＶｏＩＰ設定部２２４は、着信転送制御部２２３が着信転送設定要求情報を送信してから着信転送設定完了情報を受信するまでの時間が、所定の時間の閾値（例えば、９０秒）未満である場合に、着信転送設定が完了したと判定する。また、ＶｏＩＰ機能が無効な状態とは、自装置が在圏しているネットワークを経由してのみ各種のデータを送受信できる状態である。ＶｏＩＰ機能が有効な状態とは、ＩＰを用いて音声データを送受信できる状態である。ＶｏＩＰ機能が有効な状態になることで、端末装置２０がライセンス不要バンドのネットワークを用いる場合でも、自装置宛の着信を受けることができる。
【００３３】
他方、端末ＶｏＩＰ設定部２２４は、着信転送解除の完了後、ＶｏＩＰ機能が有効な状態から無効な状態に設定する（ＶｏＩＰＥ設定ＯＦＦ）。端末ＶｏＩＰ設定部２２４は、着信転送制御部２２３が着信転送解除要求情報を送信してから着信転送解除完了情報を受信するまでの時間が、所定の時間の閾値（例えば、９０秒）未満である場合に、着信転送解除が完了したと判定する。ＶｏＩＰ機能が無効な状態になることで、端末装置２０がライセンスバンドのネットワークを用いる場合に、自装置宛への転送を停止し、そのネットワークのみからの着信を受けることができる。
【００３４】
次に、ライセンス不要バンドへの切替前に行う着信転送設定処理について説明する。端末装置２０は、この処理の当初においてライセンスバンドに接続されている。
図３は、本実施形態に係る着信転送設定処理を示すフローチャートである。
（ステップＳ１０１）切替制御部２２１は、セルサーチを行って自装置が在圏しているネットワークを検出し、検出されたバンドにライセンス不要バンドが含まれるか否かにより、ライセンス不要バンドに接続可能であるか否かを判定する。接続可能と判定された場合には（ステップＳ１０１  ＹＥＳ）、ステップＳ１０２に進む。接続できないと判定された場合には（ステップＳ１０１  ＮＯ）、ステップＳ１０１を繰り返す。
（ステップＳ１０２）着信転送制御部２２３は、在圏中のライセンスバンドのネットワーク（ＮＷ）を介してＭＭＴｅｌＡＳに着信転送設定要求情報を送信することにより、ＭＭＴｅｌＡＳにＶｏＩＰによる自装置宛の着信転送設定を要求する。ＭＭＴｅｌＡＳが着信転送設定を完了した後、ステップＳ１０３に進む。
（ステップＳ１０３）着信転送制御部２２３は、自装置のＶｏＩＰ機能を無効な状態から有効な状態（ＶｏＩＰＥ設定  ＯＮ）に設定する。ステップＳ１０４に進む。
（ステップＳ１０４）切替制御部２２１は、検出したライセンス不要バンドのネットワークに接続する。ここで、切替制御部２２１は、ライセンス不要バンドのコアネットワークに位置登録要求情報を送信する。その後、図３に示す処理を終了する。
これにより、端末装置２０は、ライセンス不要バンドのネットワークに在圏中でも、通信相手の相手先機器が送信した音声データの着信を受けることができる。
【００３５】
次に、ライセンスバンドへの復帰の際に行う着信転送設定解除処理について説明する。端末装置２０は、ライセンス不要バンドに接続されていたことを仮定する。
図４は、本実施形態に係る着信転送設定解除処理を示すフローチャートである。
（ステップＳ２０１）切替制御部２２１は、セルサーチを行って自装置が在圏しているネットワークを検出し、検出されたバンドにライセンスバンドが含まれ、かつ、ライセンス不要バンドが含まれなくなったか否かにより、ライセンス不要バンドへの復帰が必要であるか否かを判定する。復帰が必要と判定された場合には（ステップＳ２０１  ＹＥＳ）、ステップＳ２０２に進む。復帰が不要と判定された場合には（ステップＳ２０１  ＮＯ）、ステップＳ２０１を繰り返す。
【００３６】
（ステップＳ２０２）切替制御部２２１は、検出したライセンスバンドのネットワークへの接続を開始する（ライセンスバンドへ移動）。ここで、切替制御部２２１は、ライセンスバンドのコアネットワークに位置登録要求情報を送信しライセンスバンドに復帰する。その後、ステップＳ２０３に進む。
（ステップＳ２０３）着信転送制御部２２３は、在圏中のライセンスバンドのネットワークを介してＭＭＴｅｌＡＳに着信転送設定解除要求情報を送信することにより、ＭＭＴｅｌＡＳにＶｏＩＰによる自装置宛の着信転送設定解除を要求する。ＭＭＴｅｌＡＳが着信転送設定解除を完了した後、ステップＳ２０４に進む。
（ステップＳ２０４）着信転送制御部２２３は、自装置のＶｏＩＰ機能が有効な状態から無効な状態（ＶｏＩＰＥ設定  ＯＦＦ）に設定する。その後、図４に示す処理を終了する。
これにより、端末装置２０は、ライセンス不要バンドのネットワークへの音声データの転送が解除され、ライセンスバンドのみで音声データの受信が可能になる。
【００３７】
以上に説明したように、本実施形態に係る端末装置２０は、ネットワークの検出状況に応じてライセンスバンドのネットワークからライセンス不要バンドのネットワークに切り替える切替制御部２２１を備える。また、端末装置２０は、自装置宛のデータの所定の機器（例えば、自装置）へのアクセス方式非依存のプロトコル（例えば、ＩＰ）による転送を、前記ライセンスバンドのネットワークに接続された機器との発着信を制御する制御装置（例えば、ＭＭＴｅｌＡＳ）に対して要求する着信転送制御部２２３を備える。
この構成により、使用するネットワークをライセンス不要バンドのネットワークからライセンスバンドのネットワークに切り替えなくても、所定の機器において自装置宛のデータ（例えば、音声データ）が受信される。そのため、ライセンス不要バンドのネットワークの使用中に自装置宛のデータを効率よく受信することができる。
【００３８】
また、本実施形態に係る端末装置２０は、そのプロトコルによるデータの受信を有効にする設定部（例えば、端末ＶｏＩＰ設定部２２４）を備え、着信転送制御部２２３は、自装置への転送を制御装置に対して要求する。
この構成により、使用するネットワークをライセンス不要バンドのネットワークからライセンスバンドのネットワークに切り替えなくても、自装置において自装置宛のデータが受信される。そのため、ライセンス不要バンドのネットワークの使用中に自装置宛のデータを効率よく受信することができる。
【００３９】
また、本実施形態に係る端末装置２０において、切替制御部２２１が、ネットワークの検出状況に応じてライセンス不要バンドのネットワークからライセンスバンドのネットワークに切り替えるとき、着信転送制御部２２３は、転送の解除を制御装置に対して要求する。
この構成により、ネットワーク検出状況（例えば、端末装置２０がライセンス不要バンドのネットワークのサービス提供圏外に所在）に応じて、ライセンスバンドのネットワークを介して受信される自装置宛のデータの転送が停止されるので、そのデータをライセンスバンドのネットワークを介して確実に受信することができる。
【００４０】
（第２の実施形態）
次に、本発明の第２の実施形態について説明する。上述した実施形態と同一の構成については、同一の符号を付して、その説明を援用する。
本実施形態に係る通信システム１において、端末装置２０は、上述した実施形態とは異なり、ライセンス不要バンド接続後に着信転送設定処理を行う。
【００４１】
次に、本実施形態に係る着信転送設定処理について説明する。端末装置２０は、この処理の当初においてライセンスバンドに接続されている。
図５は、本実施形態に係る着信転送設定処理を示すフローチャートである。
（ステップＳ３０１）切替制御部２２１は、セルサーチを行って自装置が在圏しているネットワークを検出し、検出されたバンドにライセンス不要バンドが含まれるか否かにより、ライセンス不要バンドに接続可能であるか否かを判定する。接続可能と判定された場合には（ステップＳ３０１  ＹＥＳ）、ステップＳ３０２に進む。接続できないと判定された場合には（ステップＳ３０１  ＮＯ）、ステップＳ３０１を繰り返す。
（ステップＳ３０２）切替制御部２２１は、検出したライセンス不要バンドのネットワークに接続する。接続に係る処理が完了した後、ステップＳ３０３に進む。切替制御部２２１は、ライセンス不要バンドのコアネットワークに位置登録要求情報を送信してから、所定の時間内に位置登録確認情報（ＡＣＫ）を受信することで、接続に係る処理が完了したと判定する。その後、ステップＳ３０３に進む。
【００４２】
（ステップＳ３０３）着信転送制御部２２３は、自装置のＶｏＩＰ機能を無効な状態から有効な状態（ＶｏＩＰＥ設定  ＯＮ）に設定する。ステップＳ３０４に進む。
（ステップＳ３０４）着信転送制御部２２３は、ライセンス不要バンドのネットワークを介してライセンスバンドのネットワークに接続されたＭＭＴｅｌＡＳに着信転送設定要求情報を送信することにより、ＭＭＴｅｌＡＳにＶｏＩＰによる自装置宛の着信転送設定を要求する。ＭＭＴｅｌＡＳが着信転送設定を完了した後、図５に示す処理を終了する。
【００４３】
ステップＳ３０１、Ｓ３０２、Ｓ３０３、Ｓ３０４の各々の具体的な処理は、ステップＳ１０１、Ｓ１０４、Ｓ１０３、Ｓ１０２の処理と同様であってもよい。本実施形態に係る着信転送設定処理では、ライセンス不要バンドのネットワークへの接続が完了した後に、着信転送制御部２２３は端末装置２０のＶｏＩＰ機能を有効にし、着信転送制御部２２３は、自装置宛の着信転送設定をＭＭＴｅｌＡＳに対して要求する。そのため、図３に示す着信転送設定処理よりも、ライセンス不要バンドのネットワークに接続して通信サービスを早く受けることができる。
但し、ライセンス不要バンドに接続してから着信転送設定が完了するまでの間、着信転送がなされないため、図３に示す着信転送設定処理よりも着信転送がなされない時間が長くなる。
【００４４】
以上に説明したように、本実施形態に係る端末装置２０において、切替制御部２２１がライセンス不要バンドのネットワークへの切り替えが完了した後で、着信転送制御部２２３は、着信転送設定を制御装置（例えば、ＭＭＴｅｌＡＳ）に要求する。
この構成により、ライセンスバンドのネットワークへの自装置宛のデータの着信転送よりもライセンス不要バンドのネットワークによる通信サービスを早く受けることができる。
【００４５】
（第３の実施形態）
次に、本発明の第３の実施形態について説明する。上述した実施形態と同一の構成については、同一の符号を付して、その説明を援用する。
本実施形態に係る通信システム１では、端末装置２０は、ライセンス不要バンドのネットワーク以外にも、ライセンスバンドのネットワークでの着信転送の条件についても設定可能である。
【００４６】
端末装置２０の記憶部２３は、ネットワーク毎の着信転送の条件に係る着信転送設定情報（転送状態記憶テーブル）を記憶する。着信転送設定情報は、例えば、転送設定、転送番号、転送時間を含む情報である。転送状態記憶テーブルは、ネットワーク確認設定（ＮＷ確認設定）と対応付けて形成されている。ネットワーク確認設定とは、着信転送設定情報を接続中のネットワークを介して取得するか否かを示す情報である。転送状態記憶テーブルの例については、後述する。
着信転送制御部２２３は、ユーザによる端末装置２０への操作入力に応じて、ネットワーク毎の着信転送条件を定め、定めた着信転送条件を記憶部２３に記憶する。
【００４７】
着信転送制御部２２３は、ライセンス不要バンドのネットワークに接続可能であるときに転送状態記憶テーブルを参照し、ライセンスバンドのネットワークに係るネットワーク確認設定（ＮＷ確認設定）が、ネットワークを介して取得することを示しているか否かを確認する。ネットワークを介して取得することを示している場合、着信転送制御部２２３は、ＭＭＴｅｌＡＳから、現在設定されている転送設定情報を読み出す（ＮＷ転送設定情報確認）。その時点において、ライセンスバンドのネットワークに係る転送設定情報が端末装置２０の着信転送制御部２２３によって読み出される。
着信転送制御部２２３は、読み出した転送設定情報を記憶部２３に記憶ないし更新する。
【００４８】
着信転送制御部２２３は、記憶部２３に記憶された転送設定情報が更新されたとき、着信転送設定要求処理を行う。
着信転送設定要求処理において、着信転送制御部２２３は、転送状態記憶テーブルを参照して、ライセンス不要バンドのネットワークに係る着信転送設定情報を読み取り、読み取った着信転送設定情報が示す着信転送条件による着信転送を指示する着信転送設定要求情報を生成する。着信転送制御部２２３は、生成した着信転送設定要求情報をライセンス不要バンドのネットワークを介してライセンスバンドのネットワークに接続されたＭＭＴｅｌＡＳ（図示せず）に送信する。ＭＭＴｅｌＡＳは、端末装置２０から受信した着信転送設定要求情報が示す着信転送設定情報に基づいて着信転送設定を行い、そして着信転送設定が完了したことを示す着信転送設定完了情報を端末装置２０に送信する。
【００４９】
なお、端末装置２０がライセンスバンドのネットワークに再度接続する場合には、着信転送制御部２２３は、記憶部２３に記憶された転送状態記憶テーブルからライセンスバンドのネットワークに係る着信転送設定情報を読み取る。着信転送制御部２２３は、読み取った着信設定情報に基づいて着信転送設定要求処理を行う。ここで、着信転送制御部２２３は、読み取った着信転送設定情報が示す着信転送条件による着信転送を指示する着信転送設定要求情報を生成する。着信転送制御部２２３は、生成した着信転送設定要求情報をライセンスバンドのネットワークを介してＭＭＴｅｌＡＳ（図示せず）に送信する。ＭＭＴｅｌＡＳは、端末装置２０から受信した着信転送設定要求情報が示す着信転送設定情報に基づいて着信転送設定を行い、着信転送設定が完了したことを示す着信転送設定完了情報を端末装置２０に送信する。
【００５０】
次に、転送状態記憶テーブルの例について説明する。
図６は、転送状態記憶テーブルの例を示す図である。
図６の第２列、第３列は、それぞれライセンスバンドのネットワーク、ライセンス不要バンドのネットワークを示す。第２行は、ネットワーク確認設定を示し、第３−５行は、着信転送設定情報の要素である転送設定、転送番号、転送時間を示す。
【００５１】
ネットワーク確認設定は、上述したように着信転送設定情報を、接続中のネットワークを介して取得するか（ＯＮ）又はしないか（ＯＦＦ）を示す情報である。ＯＦＦの場合には、着信転送制御部２２３は、転送状態記憶テーブルに予め記憶した着信転送設定情報、例えば、ネットワークユーザの操作入力に応じて設定された着信転送設定情報が示す着信条件で、着信転送設定要求もしくは着信転送設定解除要求を行う。図６に示す例では、ライセンスバンドのネットワークについて、「ＯＮ」が設定されている。ライセンス不要バンドについては、ネットワーク確認設定は、設定不可能「−」である。つまり、ライセンス不要バンドに係る着信転送設定情報（転送設定、転送番号、転送時間）として、ネットワークを介して取得されたものではなく、ユーザ入力による設定情報または予め設定された固定値が使用される。
【００５２】
転送設定は、着信転送を行うか（ＯＮ）又は行わないか（ＯＦＦ）を示す情報である。図６に示す例では、ライセンスバンドのネットワーク、ライセンス不要バンドのネットワークのいずれについても、「ＯＮ」が設定されている。仮に、ライセンス不要バンドのネットワークについて「ＯＦＦ」が設定されている場合であって、端末装置２０がライセンス不要バンドに接続されているとき、着信転送が行われない。なお、デフォルトでは、転送設定は、ネットワークに関わらず「ＯＮ」である。
【００５３】
転送番号は、転送先の機器を識別する識別番号である。図６に示す例では、転送番号としてライセンスバンドのネットワークについて「０４３−ｘｘｘｘ−ｘｘｘｘ」が、ライセンス不要バンドのネットワークについて「０５０−ｙｙｙｙ−ｙｙｙｙ」が設定されている。転送番号は、ユーザの操作入力に基づいて任意に設定可能である。転送先の機器は、必ずしも端末装置２０に限られず、別個の端末装置、家庭電化機器、等の任意の電子機器であってもよい。
転送時間は、着信から転送までの待機時間である。転送時間内に着信応答があれば、ＭＭＴｅｌＡＳ（図示せず）は、着信したデータを着信に係るネットワークを介して本来の宛先の機器に送信する。転送時間内に着信応答がなかった場合には、ＭＭＴｅｌＡＳ（図示せず）は、着信したデータを転送番号で指示される転送先の機器に送信する。図６に示す例では、転送時間としてライセンスバンドについて「３０秒」、ライセンス不要バンドについて「０秒」が設定されている。「０秒」とは、無条件着信応答を意味する。
【００５４】
次に、本実施形態に係る着信転送設定処理について説明する。
図７は、本実施形態に係る着信転送設定処理を示すフローチャートである。
（ステップＳ４０１）着信転送制御部２２３は、ライセンス不要バンドのネットワークに接続可能であるとき転送状態記憶テーブルを参照し、ライセンスバンドのネットワークに係るネットワーク確認設定がＯＮであるか否かを確認する。ＯＮである場合には（ステップＳ４０１  ＹＥＳ）、ステップＳ４０２に進む。ＯＦＦである場合には（ステップＳ４０１  ＮＯ）、ステップＳ４０４に進む。
【００５５】
（ステップＳ４０２）着信転送制御部２２３は、ＭＭＴｅｌＡＳ（図示せず）から端末装置２０について現在設定されている転送設定情報を読み出すことにより確認する。その後、ステップＳ４０３に進む。
（ステップＳ４０３）着信転送制御部２２３は、読み出した転送設定情報をライセンスバンドのネットワークと対応付けて記憶部２３に記憶する。その後、ステップＳ４０４に進む。
【００５６】
（ステップＳ４０４）着信転送制御部２２３は、転送状態記憶テーブルを参照して、ライセンス不要バンドのネットワークに係る着信転送設定情報を読み取り、読み取った着信転送設定情報が示す着信転送条件による着信転送を指示する着信転送設定要求情報を生成し、その情報に基づいてライセンスバンドのＭＭＴｅｌＡＳ（図示せず）に転送設定を行う。その後、図７に示す処理を終了する。
【００５７】
なお、図７に示す処理は、ステップＳ１０２（図３）、Ｓ３０４（図５）の処理内で行われてもよい。
また、ステップＳ２０３（図４）の処理内で、上述した着信転送設定解除要求処理が行われてもよい。着信転送設定解除要求処理において、着信転送制御部２２３は、転送状態記憶テーブルを参照して、ライセンス不要バンドのネットワークに係る着信転送設定情報を読み取り、読み取った着信転送設定情報が示す着信転送条件での着信転送の解除を指示する着信転送設定解除要求情報を生成する。着信転送制御部２２３は、生成した着信転送設定解除要求情報をＭＭＴｅｌＡＳ（図示せず）に送信する。ＭＭＴｅｌＡＳは、端末装置２０から受信した着信転送設定解除要求情報が示す着信転送設定情報に基づいて着信転送設定を解除し、着信転送設定を解除したことを示す着信転送設定解除完了情報を端末装置２０に送信する。
【００５８】
上述した着信転送設定解除処理や着信転送設定解除要求処理により、ＭＭＴｅｌＡＳ（図示せず）に設定された転送設定情報が更新されるが、その後、端末装置２０がライセンスバンドのネットワークに再度接続する場合がある。その場合には、着信転送制御部２２３は、記憶部２３に記憶された転送状態記憶テーブルからライセンスバンドのネットワークに係る着信転送設定情報を読み取る。着信転送制御部２２３は、読み取った着信設定情報に基づいて上述した着信転送設定要求処理を行う。これにより、ライセンスバンドに復帰した場合においても、ＭＭＴｅｌＡＳは、端末装置２０宛に着信したデータを、記憶部２３に記憶した着信設定情報で指定された着信転送条件で転送する。そのため、ユーザの操作入力により任意に設定した着信転送条件、又は過去にライセンスバンドのネットワークで用いた着信転送条件で、着信したデータが転送される。例えば、ライセンスバンドのネットワークで着信後所定の転送時間内に着信応答ができなかった場合には、任意の電子機器においてライセンスバンドに着信したデータを受信することができる。
【００５９】
以上に説明したように、本実施形態に係る端末装置２０は、転送の条件を示す転送条件情報を記憶する記憶部２３を備え、着信転送制御部２２３は、その転送条件情報に基づいて制御装置（例えば、ＭＭＴｅｌＡＳ）に対して転送を要求する。
この構成により、ネットワークが切り替えられることにより、制御装置に設定した転送条件情報が変更される場合でも、記憶部２３に元のネットワークに係る転送条件情報を記憶することで、その転送条件情報に応じた着信転送を実現することができる。また、記憶部２３に任意に設定された転送条件情報を用いて、その転送条件に応じた着信転送を実現することができる。
【００６０】
（第４の実施形態）
次に、本発明の第４の実施形態について説明する。上述した実施形態と同一の構成については、同一の符号を付して、その説明を援用する。
本実施形態に係る通信システム１は、端末装置２０がライセンス不要バンドのネットワークからライセンスバンドのネットワークに復帰できない場合の処理に係る。
【００６１】
切替制御部２２１は、その端末装置２０がライセンス不要バンドのネットワークに接続されていたとき、ライセンスバンドのネットワークへの切替（復帰）が必要か否かを判定する。切替制御部２２１は、例えば、セルサーチにより、ライセンス不要バンドを検出できない場合であって、ユーザ設定に応じてライセンスバンドへの切替が指示されたとき、切替が必要と判定する。セルサーチによりライセンス不要バンドを検出できない場合には、例えば、端末装置２０がライセンス不要バンドの圏外に所在している場合がある。切替制御部２２１は、それ以外の場合には、切替が不要と判定する。
【００６２】
切替制御部２２１は、ライセンスバンドのネットワークへの切替が必要と判定した場合、その切替が可能か否かを判定する。切替制御部２２１は、例えば、セルサーチによりライセンス不要バンドが検出できないために切替が必要と判定した場合であって、かつ、セルサーチによりライセンスバンドを検出した場合に、切替可能と判定する。切替制御部２２１は、ユーザ設定に応じて切替が指示された場合には、ライセンス不要バンドに在圏したままセルサーチを行い、セルサーチによりライセンスバンドを検出した場合にライセンスバンドへの切替が可能と判定する。切替制御部２２１は、それ以外の場合には、切替ができないと判定し、セルサーチを繰り返す。
【００６３】
次に、本実施形態に係る着信転送設定解除処理について説明する。端末装置２０は、この処理の当初においてライセンス不要バンドに接続されている。
図８は、本実施形態に係る着信転送設定解除処理のフローチャートである。
（ステップＳ５０１）切替制御部２２１は、ライセンスバンドのネットワークへの復帰が必要か否かを判定する。復帰が必要と判定された場合には（ステップＳ５０１  ＹＥＳ）、ステップＳ５０２に進む。復帰が不要と判定された場合には（ステップＳ５０１  ＮＯ）、ステップＳ５０１を繰り返す。
（ステップＳ５０２）切替制御部２２１は、ライセンスバンドのネットワークへの復帰が可能か否かを判定する。復帰可能と判定された場合には（ステップＳ５０２  ＹＥＳ）、ステップＳ５０３に進む。復帰できないと判定された場合には（ステップＳ５０２  ＮＯ）、ステップＳ５０２を繰り返す。ステップＳ５０２を繰り返す過程で、切替制御部２２１は、セルサーチを行い利用可能なバンドを検出する。
【００６４】
（ステップＳ５０３）切替制御部２２１は、ＭＭＴｅｌＡＳ（図示せず）に着信転送設定解除要求情報を送信することにより、ＭＭＴｅｌＡＳに着信転送設定解除を要求する。ＭＭＴｅｌＡＳが着信転送設定解除を完了した後、ステップＳ５０４に進む。
（ステップＳ５０４）着信転送制御部２２３は、自装置のＶｏＩＰ機能を有効な状態から無効な状態（ＶｏＩＰＥ設定  ＯＦＦ）に設定する。ステップＳ５０５に進む。
（ステップＳ５０５）切替制御部２２１は、検出したライセンスバンドのネットワークに復帰する。復帰に係る処理が完了した後、図８に示す処理を終了する。
【００６５】
なお、ステップＳ５０３、Ｓ５０４、Ｓ５０５の処理は、それぞれステップＳ２０３、Ｓ２０４、Ｓ２０２（図４）の処理と同様であってもよい。また、ステップＳ５０５の処理の直後に、上述した着信転送設定解除要求処理が行われてもよい。
【００６６】
以上に説明したように、本実施形態によれば、切替制御部２２１は、ライセンス不要バンドのネットワークからライセンスバンドのネットワークに切り替えるとき、ライセンスバンドのネットワークが検出されるまでネットワークの検出を継続する。
この構成により、一時的にライセンスバンドのネットワークが検出されなかった場合でも、より確実にライセンスバンドのネットワークへの切り替えが実現される。
【００６７】
（変形例）
以上、図面を参照してこの発明の一実施形態について詳しく説明してきたが、具体的な構成は上述のものに限られることはなく、この発明の要旨を逸脱しない範囲内において様々な設計変更等をすることが可能である。
【００６８】
例えば、端末装置２０は、ユーザによる操作入力を受け付け、受け付けた操作入力に応じた入力信号を制御部２２に出力する操作入力部を備えてもよい。操作入力部は、例えば、タッチセンサ、キーボード、等のポインティングデバイスである。
端末装置２０は、制御部２２で処理された情報を表示する表示部を備えてもよい。表示部は、例えば、液晶ディスプレイ、有機ＥＬディスプレイ、等である。
上述した実施形態では、各種の情報をユーザの操作入力に応じて設定する場合について説明したがこれには限られない。これらの情報は、端末装置２０に接続された他の機器から入力されてもよいし、端末装置２０で制御プログラムを実行することによって生成されてもよい。
【００６９】
上述では、転送されるデータが音声データであるＶｏＩＰを例にしたが、これには限られない。転送されるデータは、ＩＰで送受信可能であれば、画像、テキスト、その他の形式のデータであってもよい。
また、切替制御部２２１は、ライセンス不要バンドのネットワークを複数検出した場合には、検出したネットワークのうちのいずれか１つを選択してもよい。切替制御部２２１は、例えば、上述した信号品質を示す指標が最も良好な信号品質を示すネットワーク、又は利用料金が最も経済的なネットワークを選択してもよい。
【００７０】
また、端末装置２０は、ライセンス不要バンドを表す特定の事業者情報と自装置の識別番号とを予め対応付けて記憶したＵＳＩＭカード又はＳＩＭカードを備えることで、常にその事業者のライセンス不要バンドを用いて通信することができる。
また、端末装置２０の記憶部に、予め事業者情報を記憶しておくことで、ＵＳＩＭカード又はＳＩＭカードを省略することができる。
【００７１】
なお、上述した実施形態は、次の態様でも実施することができる。
（１）ネットワークの検出状況に応じてライセンスバンドのネットワークからライセンス不要バンドのネットワークに切り替える切替制御部と、自装置宛のデータの所定の機器へのアクセス方式非依存のプロトコルによる転送を、前記ライセンスバンドのネットワークに接続された機器との発着信を制御する制御装置に対して要求する着信転送制御部と、を備える端末装置。
【００７２】
（２）前記プロトコルによるデータの受信を有効にする設定部を備え、前記着信転送制御部は、自装置への転送を前記制御装置に対して要求する（１）の端末装置。
【００７３】
（３）前記切替制御部が、ネットワークの検出状況に応じて前記ライセンス不要バンドのネットワークから前記ライセンスバンドのネットワークに切り替えるとき、前記着信転送制御部は、前記転送の解除を前記制御装置に対して要求する（１）又は（２）の端末装置。
【００７４】
（４）前記転送の条件を示す転送条件情報を記憶する記憶部を備え、前記着信転送制御部は、前記転送条件情報に基づいて転送を前記制御装置に対して要求する（１）から（３）のいずれかの端末装置。
【００７５】
（５）前記切替制御部は、前記切替制御部は、前記ライセンス不要バンドのネットワークから前記ライセンスバンドのネットワークに切り替えるとき、前記ライセンスバンドのネットワークが検出されるまでネットワークの検出を継続する（１）から（４）のいずれかの端末装置。
【００７６】
（６）端末装置と、制御装置と、少なくともライセンスバンドのネットワークと、ライセンス不要バンドのネットワークとを備える通信システムであって、前記制御装置は、前記ライセンスバンドのネットワークに接続された機器との発着信を制御し、前記端末装置は、ネットワークの検出状況に応じてライセンスバンドのネットワークからライセンス不要バンドのネットワークに切り替える切替制御部と、自装置宛のデータの所定の機器へのアクセス方式非依存のプロトコルによる転送を、前記ライセンスバンドのネットワークに収容された機器との発着信を制御する制御装置に対して要求する着信転送制御部と、を備える通信システム。
【００７７】
（７）端末装置の通信制御方法であってネットワークの検出状況に応じてライセンスバンドのネットワークからライセンス不要バンドのネットワークに切り替える切替ステップと、自装置宛のデータの所定の機器へのアクセス方式非依存のプロトコルによる転送を、前記ライセンスバンドのネットワークに接続された機器との発着信を制御する制御装置に対して要求する着信転送ステップと、を有する通信制御方法。
【００７８】
（８）端末装置のコンピュータにネットワークの検出状況に応じてライセンスバンドのネットワークからライセンス不要バンドのネットワークに切り替える切替ステップと、自装置宛のデータの所定の機器へのアクセス方式非依存のプロトコルによる転送を、前記ライセンスバンドのネットワークに接続された機器との発着信を制御する制御装置に対して要求する着信転送ステップと、を実行させるための通信制御プログラム。
【００７９】
なお、端末装置２０の一部、例えば、制御部２２は、コンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
また、上述した実施形態における基地局装置、端末装置２０の一部、または全部を、ＬＳＩ（Ｌａｒｇｅ  Ｓｃａｌｅ  Ｉｎｔｅｇｒａｔｉｏｎ）等の集積回路として実現してもよい。基地局装置、端末装置２０の一部、の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００８０】
１…通信システム、２０（Ｔｍ）…端末装置、２１…通信部、
２１１（２１１−１〜２１１−Ｍ）…送信部、２１２（２１２−１〜２１２−Ｍ）…受信部、２２…制御部、２２１…切替制御部、２２２…着信制御部、２２３…着信転送制御部、
２２４…端末ＶｏＩＰ設定部、２３…記憶部、
Ｌａ、Ｕａ…基地局装置
【図１】
0006383996.tif 000002
【図２】
0006383996.tif 000003
【図３】
0006383996.tif 000004
【図４】
0006383996.tif 000005
【図５】
0006383996.tif 000006
【図６】
0006383996.tif 000007
【図７】
0006383996.tif 000008
【図８】
0006383996.tif 000009